(57)【要約】【課題】簡便な構造で、地上から屋根の雪下ろしが容易にできるとともに、屋根から落ちてきた雪塊が雪下ろしをしている者に当たることがない除雪スコップを提供すること。【解決手段】除雪スコップ１は、スコップ本体１０が、把持部２０に対して斜めに延びる折れ線１００を境に曲折され、雪に差し込まれる先端から折れ線１００の間に形成され、雪を受ける平面状の雪受け部１１０と、折れ線１００を挟んで雪受け部１１０とは反対側に形成され、雪受け部１１０の雪を受ける面に対して折れ線１００から上り傾斜した除雪面において、雪受け部１１０で受けた雪をスコップ本体１０の外部に吐き出す除雪部１２０と、を備える。【選択図】図１
0003175351.tif 000002
【実用新案登録請求の範囲】
【請求項１】
建築物の屋根に積もった雪に差し込まれる板状のスコップ本体と、前記スコップ本体にその先端が固定された棒状の把持部と、を備えた除雪スコップであって、
前記スコップ本体は、
前記把持部に対して斜めに延びる折れ線を境に曲折され、
雪に差し込まれる先端から前記折れ線の間に形成され、雪を受ける平面状の雪受け部と、
前記折れ線を挟んで前記雪受け部とは反対側に形成され、前記雪受け部の雪を受ける面に対して前記折れ線から上り傾斜した除雪面において、前記雪受け部で受けた雪を前記スコップ本体の外部に吐き出す除雪部と、を備える除雪スコップ。
【請求項２】
前記雪受け部は、圧縮状態の雪を切断可能な鋸刃を側縁部に有する請求項１に記載の除雪スコップ。
【請求項３】
前記除雪部は、雪に差し込まれる先端側から後端側に延びる除雪部折れ線において曲折され、
前記折れ線から前記除雪部折れ線の間に形成された第１除雪面と、
前記第１除雪面に対して前記除雪部折れ線から上り傾斜した第２除雪面と、を有する請求項１又は請求項２に記載の除雪スコップ。
【考案の詳細な説明】
【技術分野】
【０００１】
本考案は、除雪スコップに関し、詳細には建築物の屋根に積もった雪に差し込まれるスコップ本体と、スコップ本体にその先端が固定された棒状の把持部と、を備えた除雪スコップに関する。
【背景技術】
【０００２】
従来より、屋根の除雪は、屋根に登りスコップやスノーダンプを用いて、屋根に積もった雪を屋根の下に落とすことにより行われる。この屋根の除雪は、雪下ろしと呼ばれ、重労働ではあるが、雪が屋根に降り積もり続けた場合、家屋が雪の重みで倒壊するおそれがあるため、行わざるを得ない作業である。この雪下ろしは、作業者が屋根の上に登り、屋根の上から雪を下に落とすことにより行われる。ところが、多くの場合、屋根は下方に向けて傾斜しており、また、屋根表面の雪は凍っている。そのため、作業者が足を滑らせ、屋根から落下するという事故が絶えない。
【０００３】
そこで、地上から屋根の雪下ろしが容易にできる除雪スコップが提案されている（例えば、特許文献１参照）。
特許文献１の除雪スコップは、屋根に積もった雪に差し込まれる角型のスコップ本体と、スコップ本体に固定された棒状部材とで構成され、スコップ本体は、前縁が雪に差し込み可能な板状の雪受け部と、雪受け部の後縁から更に延出して、雪受け部に収容された雪塊を左右に振り分け可能に、中央部に向かって上り傾斜した一対の傾斜面を形成した除雪部と、を有し、雪受け部は、中央部から立設し、雪塊を分断可能な板状片を有している。
【０００４】
特許文献１の除雪スコップによれば、雪受け部に載置された雪は、板状片により左右に分けられ、除雪部に沿って屋根に積もった雪の上に雪塊となって吐き出され、屋根の下に落下する。このとき、除雪部に押し出された雪は除雪部の分割頂辺により左右に分けられるので、雪塊は除雪作業者を避けて、除雪作業者の左右両側に落下する。よって、地上から屋根の雪下ろしが容易にできるとともに、屋根から落ちてきた雪塊が雪下ろしをしている者に当たることがない。
【先行技術文献】
【特許文献】
【０００５】
【特許文献１】登録実用新案第３１６７４４８号公報
【考案の概要】
【考案が解決しようとする課題】
【０００６】
ところで、雪下ろしの作業中に、屋根から落下するという落下事故の件数は、積雪量が多くなるほど増加する。また、近年、高齢者が増加するにともない、高齢者が自ら雪下ろしをしなければならない場合も増えているが、高齢者にとって、屋根の上に登ること自体大変なことであり、また、足腰が弱っていた場合には屋根から落下する可能性が高くなる。そのため、地上から屋根の雪下ろしが容易にできる除雪スコップの需要が高まっており、除雪スコップの生産者は、短期間でより多くの除雪スコップを生産しなければならない。このような事情から、より簡便な構造で、特許文献１の除雪スコップと同様の効果を奏する除雪スコップが求められている。
【０００７】
本考案は、簡便な構造で、地上から屋根の雪下ろしが容易にできるとともに、屋根から落ちてきた雪塊が雪下ろしをしている者に当たることがない除雪スコップを提供することを目的とする。
【課題を解決するための手段】
【０００８】
（１）  建築物の屋根に積もった雪に差し込まれる板状のスコップ本体と、前記スコップ本体にその先端が固定された棒状の把持部と、を備えた除雪スコップであって、
前記スコップ本体は、
前記把持部に対して斜めに延びる折れ線を境に曲折され、
雪に差し込まれる先端から前記折れ線の間に形成され、雪を受ける平面状の雪受け部と、
前記折れ線を挟んで前記雪受け部とは反対側に形成され、前記雪受け部の雪を受ける面に対して前記折れ線から上り傾斜した除雪面において、前記雪受け部で受けた雪を前記スコップ本体の外部に吐き出す除雪部と、を備える除雪スコップ。
【０００９】
（１）の考案によれば、除雪作業者は、把持部を把持して、地上から建築物の屋根面に沿って下から上に向けて、屋根に積もった雪にスコップ本体の雪受け部を差し込み、さらに、建築物の屋根面に沿って下から上に向けて、雪受け部を押し込む。
これにより、雪受け部の雪を受ける面で受けた雪は、除雪部の除雪面においてスコップ本体の外部に吐き出され、雪塊となって屋根の下に落下する。また、除雪部の除雪面は、把持部に対して斜めに延びる折れ線に沿って、雪受け部の雪を受ける面に対して上り傾斜している。これにより、除雪面において吐き出される雪は、把持部に対して斜め方向にはき出される。このため、吐き出された雪は、把持棒を把持する除雪作業者の脇に落下する。
よって、地上から屋根の雪下ろしが容易にできるとともに、屋根から落ちてきた雪塊が雪下ろしをしている者に当たることがない除雪スコップを提供できる。
【００１０】
また、（１）の考案によれば、板状体に棒状の把持部を固定し、この板状体を把持部に対して斜めに曲折るだけで、上記作用効果を奏する除雪スコップとなる。
したがって、簡便な構造で、地上から屋根の雪下ろしが容易にできるとともに、屋根から落ちてきた雪塊が雪下ろしをしている者に当たることがない除雪スコップを提供できる。
【００１１】
（２）  前記雪受け部は、圧縮状態の雪を切断可能な鋸刃を側縁部に有する（１）に記載の除雪スコップ。
【００１２】
ここで、屋根に積もった雪の下層は、自重により圧縮状態となり、表層の雪と比べ固くなる。また、屋根に積もった雪の下層は、屋根から伝わる屋内の熱により、一旦雪が溶け、再び凍るため、圧縮状態の雪は氷となり更に固くなる。
（２）の考案によれば、圧縮状態の雪に向かって、スコップ本体を進行させる力を加えながら、前後に移動すると、雪受け部の側縁部に形成した鋸刃で圧縮状態の雪を切断できる。
【００１３】
（３）  前記除雪部は、雪に差し込まれる先端側から後端側に延びる除雪部折れ線において曲折され、
前記折れ線から前記除雪部折れ線の間に形成された第１除雪面と、
前記第１除雪面に対して前記除雪部折れ線から上り傾斜した第２除雪面と、を有する（１）又は（２）に記載の除雪スコップ。
【００１４】
（３）の考案によれば、雪受け部の雪を受ける面で受けた雪は、除雪作業者がスコップ本体を進行させる力を加えることで、第１除雪面に当接してから第２除雪面に当接し、スコップ本体の外部に吐き出される。このとき、第２除雪面は、第１除雪面に対して上り傾斜しているので、第１除雪面から押し出された雪を崩しながら吐き出す。このため、除雪作業者は、雪の塊を崩しながら吐き出せるので、雪受け部で受けた雪の塊のままスコップ本体の外部に吐き出す場合に比べ、少ない力でスコップ本体を進行させ、除雪できる。
【考案の効果】
【００１５】
本考案によれば、簡便な構造で、地上から屋根の雪下ろしが容易にできるとともに、屋根から落ちてきた雪塊が雪下ろしをしている者に当たることがない除雪スコップを提供できる。
【図面の簡単な説明】
【００１６】
【図１】本考案の実施形態の除雪スコップの斜視図である。
【図２】前記実施形態の除雪スコップの側面図である。
【図３】図２における前記実施形態の除雪スコップのＡＡ’断面を示す図である。
【考案を実施するための形態】
【００１７】
以下、本考案の実施形態について説明する。
図１は、本考案の実施形態の除雪スコップ１の斜視図である。図２は、前記実施形態の除雪スコップ１の側面図である。
本実施形態の除雪スコップ１は、建築物の屋根に積もった雪に差し込まれるスコップ本体１０と、スコップ本体１０にその先端が固定された棒状の把持部２０と、を備える。
【００１８】
スコップ本体１０は、略矩形状の板状体であるアルミパネルが、把持部２０に対して斜めに延びる折れ線１００を境に曲折されて形成されている。スコップ本体１０は、雪を受ける平面状の雪受け部１１０と、雪受け部１１０で受けた雪をスコップ本体１０の外部に吐き出す除雪部１２０と、を備える。
折れ線１００は、スコップ本体１０の先端側（図１中Ｆ側）の図１中左角から後端側（図１中Ｂ側）の図１中右角に延びている。すなわち、折れ線１００は、展開したスコップ本体１０の対角線上に形成されている。なお、折れ線１００は、スコップ本体１０に固定された棒状の把持部２０に対して斜めに延びていれば、展開したスコップ本体１０の対角線上に形成される態様に限定されない。
【００１９】
雪受け部１１０は、雪に差し込まれる先端（図１中Ｆ側）から折れ線１００の間に、雪を受ける雪受け面１１１を形成する。また、雪受け部１１０は、圧縮状態の雪を切断可能な鋸刃１１２を側縁部に有する。
【００２０】
鋸刃１１２は、複数の上刃ｔ１及び下刃ｔ２から構成されている。上刃ｔ１は、雪受け部１１０の移動方向（図１中ＦＢ方向）に対して傾斜して配置されている。下刃ｔ２は、雪受け部１１０の移動方向に対して直交して配置されている。これにより、鋸刃１１２は、雪受け部１１０を引いたときに、圧縮状態の雪をより切断できる。
なお、鋸刃１１２は、雪受け部１１０を押したときに、圧縮状態の雪をより切断できるように構成してもよく、又は、雪受け部１１０を往復したときに、圧縮状態の雪を切断できるように構成してもよく、本実施形態に限定されない。
【００２１】
除雪部１２０は、雪に差し込まれる先端側（図１中Ｆ側）から後端側（図１中Ｂ側）に延びる第１除雪部折れ線１２０ａ及び第２除雪部折れ線１２０ｂにおいて曲折されている。第１除雪部折れ線１２０ａは、先端（図１中Ｆ側）が折れ線１００の先端と重なり、折れ線１００から離れる方向に延びている。
第２除雪部折れ線１２０ｂは、第１除雪部折れ線１２０ａを挟んで、折れ線１００の反対側において、第１除雪部折れ線１２０ａと同一方向に延びている。
第１除雪部折れ線１２０ａ及び第２除雪部折れ線１２０ｂは、雪に差し込まれる先端側から後端側に延びていれば、任意の方向に延ばすことができ、本実施形態に限定されない。また、除雪部１２０は、第１除雪部折れ線１２０ａ及び第２除雪部折れ線１２０ｂのいずれか一方を省略することや、更に、別の除雪部折れ線が形成されてもよく、本実施形態に限定されない。
【００２２】
除雪部１２０は、折れ線１００から第１除雪部折れ線１２０ａの間に形成された第１除雪面１２１と、第１除雪部折れ線１２０ａから第２除雪部折れ線１２０ｂの間に形成された第２除雪面１２２と、第２除雪部折れ線１２０ｂを挟んで第２除雪面１２２の反対側に形成された第３除雪面１２３と、を有する。
【００２３】
図３は、図２における前記実施形態の除雪スコップ１のＡＡ’断面を示す図である。
図３に示すように、第１除雪面１２１は、雪受け部１１０の雪受け面１１１に対して折れ線１００から上り傾斜して形成されている。また、第１除雪面１２１には、把持部２０が貫通する貫通孔１２０ｃが折れ線１００に接する位置に形成されている。
第２除雪面１２２は、第１除雪面１２１に対して第１除雪部折れ線１２０ａから上り傾斜して形成されている。
第３除雪面１２３は、第２除雪面１２２に対して第２除雪部折れ線１２０ｂから上り傾斜して形成されている。このように、除雪部１２０を複数段階に曲折することで、雪受け部１１０で受けた雪の塊を複数回に亘って崩しつつ除雪できるので、除雪作業の労力を軽減できる。
【００２４】
把持部２０は、内部が中空のアルミニウム製のパイプ２１と、このパイプ２１の内部に挿入された木製の棒２２と、パイプ２１及び棒２２の先端に取り付けられるキャップ２３（図１参照）と、を備える。このように、アルミニウム製のパイプ２１の内部に棒２２を挿入することで、把持部２０の強度を向上できる。また、把持部２０には、先端側にスコップ本体１０の雪受け部１１０を挟持するスリット２０ａが形成されている。
【００２５】
スコップ本体１０は、把持部２０のスリット２０ａに、貫通孔１２０ｃより先端側の雪受け部１１０が挿入され、ボルトとナットからなる固定部材３０により、把持部２０に固定される。
【００２６】
次に、上記実施形態の除雪スコップ１による除雪作業について説明する。
除雪作業者は、建築物の軒下に立ち、除雪スコップ１の把持部２０を持ち、建築物の屋根面に沿って下から上に向けて、屋根に積もった雪にスコップ本体１０の雪受け部１１０を差し込む。
次に、圧縮状態の雪に向かって、スコップ本体１０を進行させる力を加えながら、前後に移動すると、雪受け部１１０の側縁部に形成した鋸刃１１２で圧縮状態の雪を切断できる。つまり、スコップ本体１０は、圧縮状態の雪を切断しながら、雪の内部に進行する。
【００２７】
これにより、雪受け部１１０の雪受け面１１１に屋根に積もった雪の一部が載置される。そして、除雪作業者は、さらに、建築物の屋根面に沿って下から上に向けて、雪受け部１１０を押し込む。これにより、雪受け面１１１に載置された雪は、押し込まれたことにより入ってきた雪によって除雪部１２０に押し出される。除雪部１２０に押し出された雪は、第１除雪面１２１に沿って、把持部２０に対して斜め上方に押し上げられる。この押し上げられた雪は、第２除雪面１２２に当接し、崩され、更に斜め上方に押し上げられる。この更に斜め上方に押し上げられた雪は、更に、第３除雪面１２３に当接し、崩され、把持部２０に対して斜め方向に吐き出される。この吐き出された雪は、把持棒２０を把持する除雪作業者の脇に落下する。
【００２８】
また、除雪作業者は、雪受け部１１０の側縁部に形成した鋸刃１１２で軒端から下がる氷柱を切断することもできる。
【００２９】
このように、上記実施形態によれば、板状体を把持部２０に対して斜めに曲折しただけである簡易な構造のスコップ本体１０を備えることで、地上から屋根の雪下ろしが容易にできるとともに、屋根から落ちてきた雪塊が雪下ろしをしている者に当たることがない除雪スコップを提供できる。
【符号の説明】
【００３０】
１      除雪スコップ
１０    スコップ本体
１００  折れ線
１１０  雪受け部
１１１  雪受け面
１２０  除雪部
１２１  第１除雪面
１２２  第２除雪面
１２３  第３除雪面
２０      把持部
【図１】
0003175351.tif 000003
【図２】
0003175351.tif 000004
【図３】
0003175351.tif 000005